(57)【要約】【課題】  複数の病室の音声を同時に聴取する場合であっても、個々の病室の音声を聞き取り易くしたナースコール装置を提供する。【解決手段】  制御機４は聴取ボタン３５ａ操作による聴取音声を一時的に保存するバッファ部と４２、聴取した音声を管理する聴取音声管理部４３とを有し、聴取音声管理部４３は、聴取ボタン３５ａの操作を受けて聴取先の複数のナースコール子機１のマイク１１が集音した音声をナースコール親機３へ送出する前にバッファ部４２に病室別に一次保存し、その後着信順にナースコール親機３に送出する。音声の切り替えは送出している音声に無音声の時間が１秒間継続したら、次に着信した病室に切り替えを行い、この送出制御を聴取先の全ての病室に対して順に実施する。【選択図】  図４
2018170597.tif 000002
【特許請求の範囲】
【請求項１】
ベッド毎に設置されて患者が看護師を呼び出すためのナースコール子機と、前記ナースコール子機からの呼び出しに応答するためのナースコール親機と、前記ナースコール子機と前記ナースコール親機との間の通信を制御する制御機とを備え、前記ナースコール親機には複数の病室の患者音声を同時に聴取するための聴取ボタンが設けられて成るナースコール装置において、
前記制御機は、前記聴取ボタンの操作により聴取モードに移行したら聴取音声を一時的に保存するバッファ部と、聴取した音声を管理する聴取音声管理部とを有し、
前記聴取音声管理部は、聴取先の複数の前記ナースコール子機のマイクが集音した音声を前記バッファ部に病室別に保存し、その後着信順に前記ナースコール親機に送出する制御を実施し、
前記ナースコール親機に送出している音声に無音声の時間が所定時間継続したら、次に着信して保存されている病室の音声に切り替えて前記ナースコール親機へ送出し、この送出制御を聴取先の全ての病室に対して順に実施することを特徴とするナースコール装置。
【請求項２】
聴取モードに設定可能な病室が、前記ナースコール子機を１つ備えた個室であって、
前記ナースコール親機は、患者別に患者情報を表示する患者情報表示部が一覧表示された患者一覧表示部を有すると共に、前記患者情報表示部には前記聴取モード時に聴取対象となっていることを表示する聴取先表示部が設けられており、
更に前記ナースコール親機は、前記聴取モードで現在報音されている病室に対応する前記聴取先表示部の表示を、聴取対象の他の前記聴取先表示部の表示形態と異なる表示形態へ移行させる表示制御部を有することを特徴とする請求項１記載のナースコール装置。
【請求項３】
前記聴取先表示部は、前記ナースコール子機からの呼び出しを受けて呼出元であることを通知する前記患者情報表示部に設けられている通知灯が兼用されることを特徴とする請求項２記載のナースコール装置。
【発明の詳細な説明】
【技術分野】
【０００１】
本発明はナースコール装置に関し、詳しくは複数の病室の音声を同時に聴取することができる聴取ボタンを備えたナースコール装置に関する。
【背景技術】
【０００２】
ナースコール装置を構成する機器の１つであるナースステーションに設置されたナースコール親機には、病室の音声を聴取するための聴取ボタンを備えたものがある。この聴取ボタンを操作することで、選択した複数の病室のナースコール子機マイクを能動状態として複数の患者音声を同時に聴取することができた（例えば、特許文献１参照）。
一方で、ナースコール親機は患者情報一覧を表示したボードを備え、このボードの個々の患者情報表示部には、患者からの呼び出しが発生したら呼出元の患者を示す通知灯が設けられている（例えば、特許文献２参照）。
【先行技術文献】
【特許文献】
【０００３】
【特許文献１】特開２００２−２３２５８０号公報
【特許文献２】特開２０１５−８８７８１号公報
【発明の概要】
【発明が解決しようとする課題】
【０００４】
聴取ボタンを操作することで複数の病室の音声を同時に聴取できる従来のナースコール装置は、複数の病室の音声が同時にナースコール親機において報音されるため、同時に喋った患者の音声はナースコール親機で重なって報音された。そのため、聞き取る看護師にとっては聞き取り難く何を話しているのかわからない場合があった。
【０００５】
そこで、本発明はこのような問題点に鑑み、聴取ボタンにより複数の病室の音声を同時に聴取する場合であっても、個々の病室の音声を聞き取り易くしたナースコール装置を提供することを目的としている。
【課題を解決するための手段】
【０００６】
上記課題を解決する為に、請求項１の発明は、ベッド毎に設置されて患者が看護師を呼び出すためのナースコール子機と、ナースコール子機からの呼び出しに応答するためのナースコール親機と、ナースコール子機とナースコール親機との間の通信を制御する制御機とを備え、ナースコール親機には複数の病室の患者音声を同時に聴取するための聴取ボタンが設けられて成るナースコール装置において、制御機は、聴取ボタンの操作により聴取モードに移行したら聴取音声を一時的に保存するバッファ部と、聴取した音声を管理する聴取音声管理部とを有し、聴取音声管理部は、聴取先の複数のナースコール子機のマイクが集音した音声をバッファ部に病室別に保存し、その後着信順にナースコール親機に送出する制御を実施し、ナースコール親機に送出している音声に無音声の時間が所定時間継続したら、次に着信して保存されている病室の音声に切り替えてナースコール親機へ送出し、この送出制御を聴取先の全ての病室に対して順に実施することを特徴とする。
この構成によれば、聴取ボタン操作により複数のナースコール子機から同時に音声が伝送されても、制御機において一時的に保存され、制御機から順次ナースコール親機に送出されるため、ナースコール親機へ送出される音声は重なることなく送出される。よって、ナースコール親機からは複数の音声が重なって報音されることが無く、看護師はそれぞれの患者の言葉が理解できる。
【０００７】
請求項２の発明は、請求項１に記載の構成において、聴取モードに設定可能な病室が、ナースコール子機を１つ備えた個室であって、ナースコール親機は、患者別に患者情報を表示する患者情報表示部が一覧表示された患者一覧表示部を有すると共に、患者情報表示部には聴取モード時に聴取対象となっていることを表示する聴取先表示部が設けられており、更にナースコール親機は、聴取モードで現在報音されている病室に対応する聴取先表部の表示を、聴取対象の他の聴取先表示部の表示形態と異なる表示形態へ移行させる表示制御部を有することを特徴とする。
この構成によれば、聴取先表示部の表示により聴取先の病室を把握できるし、その中で現在報音されている病室が聴取先表示部の表示形態の変化で把握でき、聴取している看護師は現在報音されている病室がどこの病室か容易に把握でき、患者の状態を把握し易い。
【０００８】
請求項３の発明は、請求項２に記載の構成において、聴取先表示部は、ナースコール子機からの呼び出しを受けて呼出元であることを通知する患者情報表示部に設けられている通知灯が兼用されることを特徴とする。
この構成によれば、聴取先表示部は通知灯と兼用されるため、新たに設ける必要がない。
【発明の効果】
【０００９】
本発明によれば、聴取ボタン操作により複数のナースコール子機から同時に音声が伝送されても、制御機において一時的に保存され、制御機から順次ナースコール親機に送出されるため、ナースコール親機へ送出される音声は重なることなく送出される。よって、ナースコール親機からは複数の音声が重なって報音されることが無く、看護師はそれぞれの患者の言葉が理解できる。
【図面の簡単な説明】
【００１０】
【図１】本発明に係るナースコール装置の一例を示す構成図でさる。
【図２】ナースコール親機の機能ブロック図である。
【図３】患者情報一覧と通知灯の関係を示す説明図である。
【図４】制御機の機能ブロック図である。
【発明を実施するための形態】
【００１１】
以下、本発明を具体化した実施の形態を、図面を参照して詳細に説明する。図１は本発明に係るナースコール装置の一例を示す構成図であり、１はベッド毎に設置されて患者が看護師を呼び出す（ナースコール呼出する）ためのナースコール子機（以下、単に「子機」とする。）、２は各病室の前に設置されてナースコール呼出の発生を報知する表示灯２ａを備えた廊下灯、３はナースステーションに設置されて患者からの呼び出しを受けて看護師が応答するためのナースコール親機（以下、単に「親機」とする。）、４は子機１と親機３の間の通信を制御する制御機である。
【００１２】
廊下灯２、親機３、制御機４は、それぞれＨＵＢ１０を介してＬＡＮ配線Ｌ１を介して接続され、子機１は病室毎に廊下灯２に伝送線Ｌ２を介して接続されている。
【００１３】
子機１は、患者が操作し易いようベッド上に配置される呼出ボタン１ａと壁面に設置されたプレート子機１ｂを有し、プレート子機１ｂには呼出ボタン１ａの接続部及び看護師と通話するためのマイク１１及びスピーカ１２が設けられている。
廊下灯２は、ナースコール呼出の発生をＬＥＤ等の点灯或いは点滅で通知する表示灯２ａ、患者氏名を表示する患者表示部２ｂ等を備えている。
【００１４】
親機３は、ナースコール呼出に応答するためのハンドセット３１ａと２つのディスプレイ３２，３３とを備えている。
図２は親機３の機能ブロック図を示し、ハンドセット３１ａ及びスピーカ（図示せず）を備えた通話部３１、例えば２４インチのＬＣＤから成る大型な第１ディスプレイ３２、例えば７インチのＬＣＤから成る小型の第２ディスプレイ３３、第１ディスプレイ３２に組み付けられて各種データの入力や設定操作を行うためのタッチパネルから成る第１操作部３４、第２ディスプレイ３３に組み付けられて各種設定や操作を行うためのタッチパネルから成る第２操作部３５、双方のディスプレイ３２，３３が表示する画像或いは映像を制御する映像処理部３７、各種設定情報に加えて表示画像や映像を記憶する情報記憶部３６、親機全体を制御する親機ＣＰＵ３８、音声データを処理する音声処理部３９、ＬＡＮ配線Ｌ１を介して制御機４等の他のナースコール機器と通信するための親機通信ＩＦ４０等を備えている。
【００１５】
第１ディスプレイ３２には、患者情報一覧や病棟レイアウトが電子表示され、図３は患者情報一覧を表示して第１ディスプレイ３２を患者一覧表示部Ｍとして使用する場合を示している。図３において、Ｐは患者毎に患者情報を表示する患者情報表示部、Ｑは病室番号表示部であり、患者情報表示部Ｐは患者氏名表示部Ｐ１、ベッド番号表示部Ｐ２、ナースコール呼出発生を通知する通知灯Ｐ３、担当看護師表示部Ｐ４、診療科目、担当医師等の表示部を備えている。尚、ここでは、病室番号順に表示した状態を示している。
【００１６】
一方、第２ディスプレイ３３では、ナースコール呼出を受けて呼出元の患者情報が表示される。また、第２操作部３５には聴取ボタン３５ａが設けられており、所定の操作で第２ディスプレイ３３に聴取ボタン３５ａが表示され、聴取ボタン３５ａが操作されると、聴取先の選択操作を経て聴取モードに移行し、一斉聴取が可能となる。
尚、聴取対象となる病室は、病室と子機１（或いは患者）が１対１で対応している個室を基本としている。
【００１７】
図４は制御機４のブロック図を示している。制御機４は、患者の病室番号、診療科目、担当医師、救護区分等の患者に関する各種情報を記憶する患者情報記憶部４１、聴取モードとなったら子機１から親機３に伝送される音声データを一次保存するバッファ部４２、バッファ部４２への保存／取り出しを制御して聴取音声を管理する聴取音声管理部４３、制御機４を制御する制御機ＣＰＵ４４、ＬＡＮ配線Ｌ１を介して各機器と通信するための制御機通信ＩＦ４５等を備えている。
【００１８】
上記の如く構成されたナースコール装置の動作は以下のようである。子機１の操作によりナースコール呼出が成されて、親機３の応答操作により患者と看護師の間で通話が実施される動作は従来と同様であるため説明を省略し、ここでは、聴取ボタン３５ａを操作した場合の動作を説明する。
親機３の第２操作部３５の聴取ボタン３５ａが操作されると、親機ＣＰＵ３８の制御により聴取先を選択して設定する設定モードに移行する。設定モードに移行すると、第1ディスプレイ３２に表示されている患者情報表示部Ｐの所定部位を操作することで、操作した患者が聴取先に設定される。
【００１９】
具体的に、この聴取モードに移行する際は第１ディスプレイ３２を患者情報表示部Ｍの状態として実施され、設定モードに移行すると、表示されている患者情報一覧の各患者情報表示部Ｐの通知灯Ｐ３が聴取先に設定する設定ボタンとなり、聴取したい患者の通知灯Ｐ３をタッチ操作すると、その患者が聴取先に設定される。即ち、このとき操作される通知灯Ｐ３は個室の患者の通知灯Ｐ３であり、通知灯Ｐ３が操作された病室が聴取先に設定される。例えば、図３に示す個室６０１号室〜６０３号室の３室のそれぞれの患者の通知灯Ｐ３がタッチ操作されたら、この３室が聴取先に設定される。
【００２０】
こうして、聴取したい１つ或いは複数の病室が選択され設定されたら、第２操作部３５に表示される聴取開始ボタン（図示せず）を操作することで聴取モードに移行して一斉聴取が開始される。
聴取モードに移行すると、制御機４では制御機ＣＰＵ４４の制御により聴取音声管理部４３が起動して、子機１から伝送された音声（音声データ）が、直接親機３へ伝送されず、バッファ部４２に一時的に保管される。即ち、選択された病室の子機１のマイク１１が集音して廊下灯２を介して伝送された音声データは、聴取音声管理部４３の制御により一時的にバッファ部４２に保存され、その後順次親機３に伝送される。
【００２１】
具体的に、制御機４には選択された病室から音声が重なる様に伝送されるが、病室毎に異なるチャンネルで伝送されて子機１毎に独立してバッファ部４２に保存される。
こうして音声データが保存される一方で、聴取音声管理部４３は、伝送された順にバッファ部４２から取り出して親機３へ伝送する。但し、子機１の音声が一定時間（例えば、１秒）途切れたら伝送する子機１の切り替えを実施し、途切れる毎に次に伝送された子機１の音声データへの切り替えが行われる。こうして切り替えが順次行われて、選択された全ての子機１（病室）の音声が順次伝送される。
この音声データが伝送された親機３では、通話部３１のハンドセット３１ａ或いはスピーカから音声が報音される。
【００２２】
また聴取モードに設定されている間、親機ＣＰＵ３８の制御により、患者情報一覧の中の選択された患者の通知灯Ｐ３の表示形態が他の通知灯Ｐ３とは異なる表示を実施し、聴取先の患者を患者一覧表示部Ｍ上で容易に把握可能となっている。
更に、現在報音されている音声の送信元の通知灯Ｐ３は、他の聴取先の患者の通知灯とは異なる状態で表示動作し、何れの患者の音声が報音されているか容易に把握できるよう表示動作する。親機ＣＰＵ３８は、受信した音声データに添付されている子機１のＩＤ情報から子機１を判別し、対応する患者の通知灯Ｐ３の表示色を変更する。
例えば、６０１号室〜６０３号室の３室が聴取先に選択されると、この病室の患者の通知灯Ｐ３は待受状態で緑色であったのが聴取モード状態の間は例えばオレンジ色で発光し、更に現在親機３で報音されている音声が６０１号室の患者の音声である場合は、６０１号室の患者の通知灯Ｐ３がオレンジの点滅状態となる。
【００２３】
このように、聴取ボタン３５ａの操作により複数の子機１から同時に音声が伝送されても、制御機４において一時的に保存され、制御機４から順次親機３に送出されるため、親機３へ送出される音声は重なることなく送出される。よって、親機３のスピーカ等からは複数の音声が重なって報音されることが無く、看護師はそれぞれの患者の言葉が理解できる。
また、聴取先となっている病室の患者の通知灯Ｐ３の表示形態が周囲と異なるため、聴取先の病室を患者一覧表示部Ｍから把握できるし、その中で現在報音されている病室も通知灯Ｐ３の表示形態が変化することで把握でき、聴取している複数の病室及び現在報音されている病室がどこの病室か看護師は容易に把握できる。加えて、通知灯Ｐ３を聴取先表示部とするため、聴取先表示部を新たに設ける必要がない。
【００２４】
尚、上記実施形態では、通知灯Ｐ３を聴取先表示部としているが、患者一覧表示部ＭをＬＣＤからなるディスプレイに表示させて形成している場合は、患者情報表示部Ｐ全体を聴取先表示部として全体の発光形態を変えても良いし、患者情報表示部Ｐの中に聴取先表示部として専用の表示部を設けても良い。
また、患者一覧表示部Ｍを使用して聴取対象の病室を第１ディスプレイ３２（第１操作部３４）から入力しているが、聴取ボタン３５ａを備えた第２操作部３５である第２ディスプレイ３３（第２操作部３５）からテンキー等を使用して病室番号を入力して病室を選択しても良い。逆に、聴取ボタン３５ａを第１操作部３４に設けて、設定モードへの移行、聴取モードへの移行の全てを第１ディスプレイ３２上で行っても良く、第１操作部３４と第２操作部３５の操作ボタン設定は、操作性や利便性の観点から設定すれば良い。
更に、聴取先を個室としているが、上述したように通知灯Ｐ３により聴取先を選択する形態の場合は患者単位で設定できるため、大部屋の中の特定の患者を聴取対象に設定することも可能である。
【符号の説明】
【００２５】
１・・ナースコール子機、２・・廊下灯、３・・ナースコール親機、４・・制御機、１１・・マイク、３２・・第１ディスプレイ、３３・・第２ディスプレイ、３４・・第１操作部、３５・・第２操作部、３５ａ・・聴取ボタン、３１・・通話部、３８・・親機ＣＰＵ（表示制御部）、４２・・バッファ部、４３・・聴取音声管理部、Ｐ・・患者情報表示部、Ｐ３・・通知灯（聴取先表示部）、Ｍ・・患者一覧表示部。
【図１】
2018170597.tif 000003
【図２】
2018170597.tif 000004
【図３】
2018170597.tif 000005
【図４】
2018170597.tif 000006